(57)【要約】【課題】遊技球が浮遊しながら入賞口へ誘導されるような斬新な動きを見せることのできる弾球遊技機の遊技球誘導装置を提供する。【解決手段】遊技盤１の遊技領域３に打ち出された遊技球を開口（入賞口）１８へ導く遊技球誘導装置７において、内部を誘導通路１１とした中空構造のガイド筐体１２に、誘導通路１１の中間部に連通する導入口１６と、誘導通路１１の下端部側に連通する排出口１７と、誘導通路１１の上端部側に連通する開口１８とを設けると共に、この開口１８の近傍に遊技球を上方のみに移動許可するトラップドア式のストッパ板１３を回動可能に支持する。また、ガイド筐体１２の裏面側に磁石１４が固着された搬送ベルト１５を配置し、この磁石１４を排出口１７と開口１８との間で誘導通路１１に沿って上下方向に往復移動するようにした。【選択図】図４
2008220514.tif 000002
【特許請求の範囲】
【請求項１】
遊技球の導入口を有して遊技盤の遊技領域に配設された誘導通路と、この誘導通路の一端部側に設けられた排出口と、前記誘導通路の他端部側に設けられた入賞口と、前記誘導通路に沿って移動可能に配置された磁石と、前記誘導通路の内部で前記入賞口の近傍に配置された払い除け部材とを備え、
前記払い除け部材は、前記磁石に吸着された遊技球が前記排出口側から前記入賞口側に向かう移動を許容すると共に、この遊技球が前記排出口側へ戻るのを阻止して前記入賞口にガイドするように構成されていることを特徴とする弾球遊技機の遊技球誘導装置。
【請求項２】
請求項１の記載において、前記払い除け部材が前記誘導通路内に回動可能に支持されたトラップドア式のストッパ板であることを特徴とする弾球遊技機の遊技球誘導装置。
【請求項３】
請求項２の記載において、前記誘導通路が前記遊技領域の上下方向に沿って直線状に延びており、前記磁石に吸着された遊技球の上昇力によって前記ストッパ板を回動操作すると共に、このストッパ板を自重によって初期位置に回動復帰させるようにしたことを特徴とする弾球遊技機の遊技球誘導装置。
【請求項４】
請求項１の記載において、前記磁石が前記排出口と前記入賞口との間を往復移動するように構成されていることを特徴とする弾球遊技機の遊技球誘導装置。
【請求項５】
請求項１の記載において、前記磁石が前記排出口側から前記入賞口側に向かって一方向に移動するように構成されていることを特徴とする弾球遊技機の遊技球誘導装置。
【発明の詳細な説明】
【技術分野】
【０００１】
本発明は、導入口から流入した遊技球を磁石の磁力を利用して入賞口へ誘導するようにした弾球遊技機の遊技球誘導装置に関するものである。
【背景技術】
【０００２】
従来より、遊技盤の遊技領域内の離間した位置に導入口と入賞口を設けると共に、これら導入口と入賞口間に所定範囲に亘って磁石を配置し、導入口から流入した遊技球をこの磁石に吸着させながら入賞口まで導くようにした遊技球誘導装置が知られている（例えば、特許文献１参照）。このような遊技球誘導装置を備えた弾球遊技機によれば、磁石の延設された範囲が遊技球の誘導経路となるため、遊技球が宙吊状態でゆっくり落下するという動きを遊技者に見せることができる。
【特許文献１】特開２００５−３４３６９号公報
【発明の開示】
【発明が解決しようとする課題】
【０００３】
しかしながら、前述した従来の遊技球誘導装置では、上方の導入口と下方の入賞口との間に所定範囲に亘って磁石を固定し、導入口から流入した遊技球をこの磁石に吸着させることで入賞口までゆっくりとした速度で誘導するようになっているため、磁石は遊技球の落下速度を単に遅くしているものに過ぎず、遊技球の動きに斬新さが欠けるという難点があった。
【０００４】
本発明は、このような従来技術の実情に鑑みてなされたもので、その目的は、遊技球が浮遊しながら入賞口へ誘導されるような斬新な動きを見せることのできる弾球遊技機の遊技球誘導装置を提供することにある。
【課題を解決するための手段】
【０００５】
上記の目的を達成するために、本発明による弾球遊技機の遊技球誘導装置は、遊技球の導入口を有して遊技盤の遊技領域に配設された誘導通路と、この誘導通路の一端部側に設けられた排出口と、前記誘導通路の他端部側に設けられた入賞口と、前記誘導通路に沿って移動可能に配置された磁石と、前記誘導通路の内部で前記入賞口の近傍に配置された払い除け部材とを備え、前記払い除け部材は、前記磁石に吸着された遊技球が前記排出口側から前記入賞口側に向かう移動を許容すると共に、この遊技球が前記排出口側へ戻るのを阻止して前記入賞口にガイドするように構成した。
【０００６】
このように構成された弾球遊技機の遊技球誘導装置では、導入口から誘導通路内に流入した遊技球が誘導通路に沿って移動中の磁石に吸着されると、遊技球は磁石に吸着されながら払い除け部材を通過して誘導通路の入賞口側へと移動するが、この入賞口側で遊技球が磁石から吸着解除されると、遊技球は払い除け部材によって排出口側へ戻るのを阻止されて入賞口へガイドされるため、恰も遊技球が誘導通路の内部を浮遊しながら入賞口へ誘導されているような斬新な動きを見せることができる。
【０００７】
上記の構成において、払い除け部材は誘導通路内に回動可能に支持されたトラップドア式のストッパ板であることが好ましく、このようなストッパ板によれば単純構造で故障の少ない払い除け部材を実現できる。この場合において、誘導通路が遊技領域の上下方向に沿って直線状に延びており、磁石に吸着された遊技球の上昇力によってストッパ板を回動操作すると共に、このストッパ板を自重によって初期位置に回動復帰させるという構成を採用すると、導入口から排出口に向かって落下中の遊技球が突然上方へ浮遊しながら入賞口まで誘導されるという極めて斬新な動きを見せることができる。
【０００８】
上記の構成において、磁石の移動方向としては往復方向と単一方向のいずれも可能であるが、磁石を排出口と入賞口との間で往復移動させる場合は、磁石に吸着された遊技球が誘導通路の入賞口側から排出口側へ戻るとき、この遊技球を払い除け部材の上面に突き当てて磁石から吸着解除することにより、遊技球を払い除け部材の上面に沿って入賞口へガイドすることができる。また、磁石を排出口側から入賞口側に向かって一方向に移動させる場合は、磁石に吸着された遊技球が払い除け部材を通過して誘導通路の端部に突き当ったとき、この遊技球を磁石から吸着解除して払い除け部材の上面に落下させることにより、遊技球を払い除け部材の上面に沿って入賞口へガイドすることができる。
【発明の効果】
【０００９】
本発明による弾球遊技機の遊技球誘導装置は、導入口を有する誘導通路に沿って磁石を移動可能に配置すると共に、この誘導通路の内部に遊技球の一方向のみの移動を許容する払い除け部材を配置し、遊技球が移動中の磁石に吸着されながら払い除け部材を通過して入賞口へ導かれるようにしたので、遊技球が誘導通路の内部を浮遊しながら入賞口へ誘導されているような斬新な動きを見せることができ、遊技が単調になるのを防止して遊技者を飽きさせないようにすることができる。
【発明を実施するための最良の形態】
【００１０】
発明の実施の形態について図面を参照して説明すると、図１は本発明の実施形態例に係る弾球遊技機の遊技盤を示す正面図、図２は該遊技盤に配設された遊技球誘導装置の斜視図、図３は該遊技球誘導装置の断面図、図４は該遊技球誘導装置による遊技球の誘導動作を示す説明図である。
【００１１】
本実施形態例に係る弾球遊技機は、遊技場の島設備に設置される矩形枠状の機枠と、機枠に扉状に開閉自在に取り付けられた前面枠と、前面枠の前側に扉状に開閉自在に取り付けられたガラス枠と、前面枠の下方に配設された発射ハンドル等（いずれも図示せず）を具備しており、図１に示す遊技盤１が前面枠に収納されている。
【００１２】
遊技盤１はガイドレール２等で囲まれた遊技領域３を有しており、遊技者によって前記発射ハンドルが回転操作されると、図示せぬ発射装置から遊技領域３に対して遊技球が連続的に打ち出されるようになっている。遊技領域３の中央部には液晶パネル（ＬＣＤ）等からなる図柄表示装置４が配設されており、この図柄表示装置４の下方には一対の可動片を有する始動入賞口５が配設されている。また、図柄表示装置４の図示左側には通過チャッカー６が配設されており、この通過チャッカー６を遊技球が通過することを契機に普通絵柄表示の抽選が行われ、その抽選結果が当たりの場合に始動入賞口５の可動片を一時的に開放するようになっている。
【００１３】
さらに、図柄表示装置４の図示右側には後述する遊技球誘導装置７が配設され、始動入賞口５の下方には大入賞口を開閉動作するアタッカー装置８が配設されている。このアタッカー装置８は始動入賞口５に遊技球が入賞したことを契機に行われる特別絵柄表示の抽選結果に基づいて開閉動作され、その抽選結果が大当たりの場合は、図柄表示装置４上の変動表示を例えば「７７７」のように特定の図柄で停止させると共に、アタッカー装置８が大入賞口を例えば１５回開放動作する。アタッカー装置８は１回の開放について例えば３０秒経過するまで、あるいは遊技球が例えば１０個入賞するまで大入賞口の開放状態を維持し、かかる開放動作を１５回繰り返した後に大当たりが終了する。
【００１４】
なお、遊技領域３には始動入賞口５やアタッカー装置８の大入賞口の他に複数の一般入賞口９が配設されており、いずれの入賞口に入賞しなかった遊技球は遊技領域３の最下端部に設けられたアウト口１０から遊技盤１の裏面側に排出されるようになっている。
【００１５】
図２と図３に示すように、前記遊技球誘導装置７は、内部を誘導通路１１とする中空構造のガイド筐体１２と、このガイド筐体１２の内部に回動可能に支持されたストッパ板１３と、ガイド筐体１２の裏面側に配置された磁石１４と、この磁石１４を誘導通路１１に沿って往復移動する搬送ベルト１５とを備えており、ガイド筐体１２の少なくとも前面は内部を目視できるように無色透明または有色透明な透過材料で形成されている。
【００１６】
誘導通路１１は遊技領域３の上下方向に沿って直線状に延びる空間であり、後述するように、磁石１４に吸着された遊技球が誘導通路１１の内部を移動できるようになっている。ガイド筐体１２の一側面には誘導通路１１の中間部に連通する導入口１６が設けられており、ガイド筐体１２の底面には誘導通路１１の下端部側に連通する排出口１７が設けられている。導入口１６は遊技領域３から誘導通路１１内に流入する遊技球の入口であり、誘導通路１１内で磁石１４に吸着されなかった遊技球は、ハズレ球として排出口１７から排出されて遊技領域３に戻る。また、ガイド筐体１２の他側面には誘導通路１１の上端部側に連通する開口１８が設けられており、この開口１８の外側には誘導路を介して前述した一般入賞口９の１つが配設されている。開口１８は誘導通路１１内の遊技球を遊技領域３に設けられた一般入賞口９へ誘導するものであり、これら開口１８から誘導路を通って一般入賞口９に至る部分によって本発明における入賞口が構成されている。
【００１７】
ストッパ板１３は開口１８の下端側を回動支点とするトラップドアであり、このストッパ板１３は自重によって誘導通路１１を斜めに横切る初期位置（図３の実線位置）に安定的に保持されている。ただし、磁石１４に吸着された遊技球が誘導通路１１の内部を上方へ移動するとき、ストッパ板１３は遊技球の上昇力によって図３の２点鎖線で示す開放位置へ回動操作される。そして、遊技球がストッパ板１３を押し退けて誘導通路１１の上端部まで移動すると、ストッパ板１３は自重によって図３の実線で示す初期位置に回動復帰する。すなわち、ストッパ板１３は遊技球を上方のみに移動許可する払い除け部材であり、ストッパ板１３を通過して誘導通路１１の上端部側まで移動した遊技球は、初期位置に回動復帰したストッパ板１３によって開口１８へガイドされた後、開口１８の外側の誘導路を通って一般入賞口９に入賞する。
【００１８】
搬送ベルト１５は一対のローラ１９間に巻回された無端状ベルトであり、この搬送ベルト１５の任意箇所に磁石１４が固着されている。そして、図示せぬモータを駆動源としてローラ１９を正逆両方向へ回転することにより、磁石１４が排出口１７と開口１８との間を誘導通路１１に沿って上下方向に往復移動するようになっている。
【００１９】
次に、前記遊技球誘導装置７による遊技球の誘導動作を主として図４に基づいて説明する。
【００２０】
遊技領域３に向けて打ち出された遊技球Ｂが導入口１６から誘導通路１１の内部に流入すると、この遊技球Ｂは誘導通路１１内を排出口１７に向かって落下する。その際、磁石１４は排出口１７と開口１８との間を誘導通路１１に沿って常に上下方向へ往復移動しているため、この磁石１４が導入口１６よりも下方位置を移動中であれば、図４（ａ）に示すように、遊技球Ｂは誘導通路１１内を落下中に磁石１４に吸着される。ただし、磁石１４が導入口１６より上方位置を移動していると、同図の２点鎖線で示すように、導入口１６から誘導通路１１内に流入した遊技球Ｂは、磁石１４に吸着されることなく排出口１７から遊技領域３にハズレ球として排出される。
【００２１】
このようにして落下中の遊技球Ｂが磁石１４に吸着され、この遊技球Ｂが磁石１４が吸着されたまま誘導通路１１の内部を上方へ移動すると、その移動途中で初期位置に保持されたストッパ板１３の下面に遊技球Ｂが当接する。前述したように、このストッパ板１３は遊技球Ｂを上方のみに移動許可する払い除け部材であるため、図４（ｂ）に示すように、磁石１４のさらなる上方への移動に伴って遊技球Ｂがストッパ板１３を上方へ押し退けて誘導通路１１を開放する。これにより、遊技球Ｂは磁石１４に吸着されたままストッパ板１３を通過して誘導通路１１の上端部側まで移動し、ストッパ板１３は遊技球Ｂの通過後に自重によって図４（ａ）に示す初期位置へと回動復帰する。
【００２２】
しかる後、磁石１４が方向転換して下方へ移動すると、遊技球Ｂは磁石１４に吸着されたまま誘導通路１１の内部を下方へ移動し、図４（ｃ）に示すように、その移動途中で初期位置に保持されたストッパ板１３の上面に遊技球Ｂが当接する。ここで、ストッパ板１３は初期位置よりも下方へ回動不能なトラップドアであるため、遊技球Ｂはストッパ板１３を通過することができず、磁石１４のみがストッパ板１３を通過して下方へ移動する。その結果、遊技球Ｂがストッパ板１３の上面に取り残された状態となるため、この遊技球Ｂはストッパ板１３の上面を転動して開口１８から一般入賞口９へと誘導され、一般入賞口９に入賞することで所定数の賞球が払い出される。なお、開口１８の外側に一般入賞口９の代わりに始動入賞口を配設しても良く、この場合は、導入口１６から流入した遊技球Ｂが開口１８に誘導されて始動入賞口へ入賞すると、賞球の払い出しに加えて特別絵柄表示の抽選という特典が付与される。
【００２３】
このように構成された本実施形態例に係る弾球遊技機の遊技球誘導装置においては、導入口１６から誘導通路１１内に流入した遊技球が磁石１４に吸着されると、この遊技球は磁石１４に吸着されながらストッパ板１３を押し退けて誘導通路１１の上端部側へ移動するが、磁石１４の移動方向が逆転して遊技球が誘導通路１１の下端部側へ移動すると、その移動途中で遊技球がストッパ板１３の上面に当接して磁石１４から吸着解除されるため、遊技球はストッパ板１３の上面に沿って開口１８から一般入賞口９へと誘導される。したがって、遊技者は、遊技球が誘導通路１１の内部を浮遊しながら開口１８へと誘導されていくという斬新な動きを見ることができ、遊技の興趣性の高い弾球遊技機を実現することができる。また、導入口１６から流入した遊技球は常に磁石１４に吸着されて開口１８まで誘導されるわけでなく、磁石１４が導入口１６よりも上方位置を移動している場合は、遊技球は磁石１４に吸着されずに排出口１７から排出されるため、遊技が単調になるのを防止して遊技者を飽きさせないようにすることができる。
【００２４】
なお、上記実施形態例では、搬送ベルト１５に固着した１つの磁石１４を上下方向へ往復移動させる場合について説明したが、搬送ベルト１５に複数の磁石１４を所定間隔を置いて固着し、これら磁石１４を排出口１７と開口１８との間で上下方向へ往復移動させるようにしても良く、この場合は、導入口１６から流入した遊技球が開口１８に誘導される確率を高めることができる。
【００２５】
また、上記実施形態例では、誘導通路１１を遊技領域３の上下方向に沿って直線状に延設した場合について説明したが、誘導通路１１の延出方向を遊技領域３の上下方向に対して若干傾けても良く、このようにすると、遊技球が誘導通路１１内を転動しながら落下する様子を見せることができる。
【００２６】
また、上記実施形態例では、磁石１４を排出口１７と開口１８との間で上下方向へ往復移動させる場合について説明したが、図５の変形例に示すように、搬送ベルト１５に１つまたは複数の磁石１４を固着し、この磁石１４を誘導通路１１の底面から上面に向かって一方向（矢印Ａ方向）に移動させるようにしても良い。この場合、磁石１４に吸着された遊技球Ｂがストッパ板１３を押し退けて誘導通路１１の上端部に突き当たった後、磁石１４がさらに矢印Ａ方向に移動することにより、遊技球Ｂが磁石１４から吸着解除されてストッパ板１３の上面に落下するため、遊技球Ｂをストッパ板１３の上面に沿って開口１８へガイドすることができる。
【００２７】
また、上記実施形態例では、本発明の遊技球誘導装置をデジパチと呼ばれる弾球遊技機の遊技盤上に設置した場合について説明したが、本発明の遊技球誘導装置を羽根モノと呼ばれる弾球遊技機におけるセンター役物の内部構造として適用しても良く、その場合は、遊技球誘導装置における入賞口をＶゾーン（遊技球の入賞が大当たりの契機となる機能をもつ入賞口）とすることができる。
【図面の簡単な説明】
【００２８】
【図１】本発明の実施形態例に係る弾球遊技機の遊技盤を示す正面図である。
【図２】該遊技盤に配設された遊技球誘導装置の斜視図である。
【図３】該遊技球誘導装置の断面図である。
【図４】遊技球誘導装置による遊技球の誘導動作を示す説明図である。
【図５】遊技球誘導装置の変形例を示す説明図である。
【符号の説明】
【００２９】
１  遊技盤
３  遊技領域
７  遊技球誘導装置
９  一般入賞口
１１  誘導通路
１２  ガイド筐体
１３  ストッパ板（払い除け部材）
１４  磁石
１５  搬送ベルト
１６  導入口
１７  排出口
１８  開口
１９  ローラ
【図１】
2008220514.tif 000003
【図２】
2008220514.tif 000004
【図３】
2008220514.tif 000005
【図４】
2008220514.tif 000006
【図５】
2008220514.tif 000007